(57)【要約】【課題】  複数種類の設定状態を共通の表示装置で表示させる設定状態表示制御装置を提供する。【解決手段】  IEEE1394シリアル・バスを採用したmLANに、これに対応していないコンピュータや電子音楽装置等を接続する通信インターフェース装置である。モニタチャンネル選択操作子４を短時間だけ押す操作をする毎に、モニタされるチャンネルが１→２→３→４→１と順次巡回的に切り替わる。LED３1〜３4のうち、モニタされるチャンネル１〜４に対応するものが点灯する。モニタチャンネル選択操作子４を長押し操作している一時的な期間において、LED３1〜３4のうち、ディジタルオーディオデータのサンプリング周波数に対応するものが点灯する。【選択図】図１
2005196019.tif 000002
【特許請求の範囲】
【請求項１】
所定の設定に関する設定状態に加えて該所定の設定とは異なるものに関する状態を表示装置に表示させる設定状態表示制御装置であって、
前記所定の設定に対する設定指示操作を検出する操作検出手段と、
該操作検出手段により前記所定の設定に対する設定指示操作の開始が検出されたときに計時を開始する計時手段と、
前記計時手段による計時の経過時間が所定時間を超えてから前記操作検出手段が前記所定の設定に対する設定指示操作の終了を検出するまでの一時的な期間においてのみ、前記所定の設定とは異なるものに関する状態であって、記憶装置に保持されているものを前記表示装置に表示させ、前記一時的な期間の期間外においては、前記所定の設定に関する設定状態であって、前記記憶装置に保持されているものを前記表示装置に表示させる表示制御手段、
を有することを特徴とする設定状態表示制御装置。
【発明の詳細な説明】
【技術分野】
【０００１】
本発明は、所定の設定に関する設定状態に加えて所定の設定とは異なるものに関する状態を共通の表示装置に表示させる設定状態表示制御装置に関するものである。
【背景技術】
【０００２】
所定の設定がなされ、設定状態等を表示装置に表示させる電子機器がある。このような電子機器の筐体をラックに取り付ける場合などでは、筐体のパネル面積に制約があり、パネル上に配置できる操作子の数や表示装置の数に制約がある。
例えば、電子楽器においては、従来、サンプリングモード，音色選択モード，自動演奏モードを指定する1つのモード指定スイッチと、複数の選択スイッチと、この選択スイッチと並列に配置された複数のLED（発光ダイオード）とを有するものがある（特許文献１参照）。
この電子楽器においては、サンプリングモードのとき、複数のLED（発光ダイオード）はレベルインジケータとなることにより、複数のLEDは入力されたサンプル値のレベル状態を表示する。また、音色選択モードのとき、複数の選択スイッチで選択された音色に対応するLEDを点灯させることにより、複数のLEDは音色設定状態を表示する。自動演奏モードのとき、複数の選択スイッチで選択されたトラックに対応し、かつ、データの有無を表すLEDを点灯させることにより、複数のLEDはトラックの選択設定状態および各トラックのデータの有無状態を表示する。
しかし、このようにLEDに多種類の状態を表示させるには、専用のモード指定スイッチが余分に必要である。また、現在のLEDが何の状態を表示しているかがわからなくなって、表示内容を間違えて認識してしまうおそれがある。
【特許文献１】実用新案登録第２５２９２３５号公報
【発明の開示】
【発明が解決しようとする課題】
【０００３】
本発明は、上述した問題点を解決するためになされたもので、所定の設定に関する設定状態に加え、この所定の設定とは異なるものに関する状態を共通の表示装置に表示させる設定状態表示制御装置を提供することを目的とするものである。
【課題を解決するための手段】
【０００４】
本発明は、請求項１に記載の発明においては、設定状態表示制御装置において、所定の設定に関する設定状態に加えて該所定の設定とは異なるものに関する状態を表示装置に表示させる設定状態表示制御装置であって、前記所定の設定に対する設定指示操作を検出する操作検出手段と、前記所定の設定に対する設定指示操作の開始が検出されたときに計時を開始する計時手段と、計時の経過時間が所定時間を超えてから前記操作検出手段が前記所定の設定に対する設定指示操作の終了を検出するまでの一時的な期間においてのみ、前記所定の設定とは異なるものに関する状態を前記表示装置に表示させ、前記一時的な期間の期間外においては、前記所定の設定に関する設定状態を前記表示装置に表示させる表示制御手段を有するものである。
従って、所定の設定に関する設定状態とこの所定の設定とは異なるものに関する状態とを、共通の表示装置で表示するので、表示装置の占有領域を小さくできる。
表示の対象を切り替える専用の操作子を必要としないので、この専用の操作子の占有領域をなくすことができる。
所定の設定とは異なるものに関する状態の表示は、設定指示手段を操作している一時的な期間においてのみ表示され、少なくとも他の期間では、所定の設定に関する設定状態が表示されるので、操作感覚と表示対象とが関連づけられる。従って、表示内容を間違えて認識してしまうおそれが少なくなる。
【０００５】
なお、上述した経過時間が所定時間を超えてから設定指示操作が終了するまでにおいても、所定の設定に関する設定状態を表示装置に継続表示させてもよい。
所定の設定とは異なるものに関する状態としては、例えば、前記所定の設定（第１の種類の設定）とは異なる第２の種類の設定に関する設定状態がある。
上述した所定の設定をするための所定の設定手段は、上述した計時の経過時間が上述した所定時間を超えたときには設定状態を変更しないようにすることが望ましい。
そのため、この所定の設定手段は、上述した計時手段による計時の経過時間が上述した所定時間（第１の所定時間）以下の第２の所定時間を超えるまでに上述した操作検出手段が前記所定の設定に対する設定指示操作の終了を検出したことに応じて、前記所定の設定に関する設定状態を変更するものとすればよい。
【発明の効果】
【０００６】
本発明は、パネル上の表示装置の占有領域を小さくでき、かつ、専用の表示切り替え操作子をなくせるという効果を奏する。その結果、ラックマウント用のパネルに設定指示手段や表示装置を配置する場合に適する。
所定の設定とは異なるものに関する状態の表示は、操作中の一時的な期間においてのみ表示されるという効果を奏する。その結果、表示内容を誤認しにくくなる。
【発明を実施するための最良の形態】
【０００７】
図１は、本願の実施の一形態を説明するための通信インターフェース装置のパネル外観図である。
図１（ａ）はパネルの外形図、図１（ｂ）はパネル面の部分拡大図である。
IEEE（Institute of Electrical and Electronics Engineers）1394ハイパフォーマンス・シリアル・バスを採用したmLAN（エムラン）ディジタルネットワークに、これに対応していないコンピュータや電子音楽装置を接続するための通信インターフェース装置である。
mLANディジタルネットワークは、コンピュータや電子音楽装置（電子オルガン、電子ピアノ、電子管楽器、電子弦楽器、電子打楽器、シンセサイザー、音源装置、電子鍵盤等）、ディジタルオーディオミキシング装置、オーディオビジュアル機器等を相互接続し、ディジタルオーディオデータやMIDI（Musical Instrument Digital Interface）データなどをやりとりするLAN（ Local Area Network）である。
【０００８】
図中、１はラックマウント用筐体のパネル、２1〜２4はチャンネル別ゲイン設定操作子、３1〜３4はLEDであるが、表示ランプなどの点灯型表示器でよい。
図示のパネルは説明用のものである。４チャンネル分のディジタルオーディオデータとMIDIデータとを、１本のIEEE1394ハイパフォーマンス・シリアル・バスに接続する通信インターフェース装置のパネルである。
チャンネル別ゲイン設定操作子２1〜２4により、各チャンネル１〜４のゲインを個別に調整する。７はマスターゲイン設定操作子であって、各チャンネル１〜４のゲインは、チャンネル別ゲイン設定操作子２1〜２4により個別に調整されるとともに、マスターゲイン設定操作子により各チャンネルに共通した調整がなされる。
【０００９】
本装置はモニタ機能を有し、モニタするチャンネルを表示するという、第１の種類の設定に関する設定状態を表示する。
４はモニタチャンネル選択操作子、５はモニタゲイン設定操作子、６はモニタジャックである。
モニタジャック６にヘッドフォンのプラグを挿入し、各チャンネルのディジタルオーディオデータをモニタする。モニタするチャンネルは、モニタチャンネル選択操作子４による設定指示操作によって設定される。これを短時間だけ押す操作をする毎に、１→２→３→４→１と順次巡回的に切り替わる。
【００１０】
そのため、本装置は、モニタチャンネル選択操作子４を押すことによる設定指示操作を検出する操作検出機能と、この操作検出手段により前記所定の設定に対する設定指示操作の開始が検出されたときに計時を開始する計時機能を有している。この計時機能による計時の経過時間が後述する第１の所定時間以下の第２の所定時間を超えるまでに上述した操作検出機能がモニタチャンネル選択操作子４による設定指示操作の終了を検出したことに応じて、モニタするチャンネルの設定に関する設定状態を変更する。本装置のメモリは、モニタするチャンネルの設定状態を保持する。
LED３1〜３4は、モニタするチャンネルの設定状態を表示する。モニタされるチャンネル１〜４に対応するもの（LED３1〜３4の近傍に番号１〜４が印刷表示されている）が点灯する。モニタのゲインは、チャンネル別ゲイン設定操作子２1〜２4により個別に調整されるとともに、モニタゲイン設定操作子５により各チャンネルに共通した調整がなされる。
【００１１】
本装置は、また、ディジタルオーディオデータのサンプリング周波数fsを表示するという、第２の種類の設定に関する設定状態を表示する。
本装置は、複数種類のサンプリング周波数のディジタルオーディオデータを処理することができる。例えば、fs＝44.1kHz，48kHz，88.2kHz，96kHzである。このサンプリング周波数は、本装置に接続される外部機器から制御データが転送され、本装置のメモリはこの設定状態を保持する機能を有する。
この第２の種類の設定に関する設定状態も、LED３1〜３4によって表示される。しかし、そのために専用の切り替え操作子を用いることなく、上述したモニタチャンネル選択操作子４の長押し操作によって可能にする。
【００１２】
そのため、本装置は、上述した計時機能による経過時間が第１の所定時間（例：５秒）を超えた後、モニタチャンネル選択操作子４による設定指示操作が終了するまでの一時的な期間においてのみ、メモリに保持されたサンプリング周波数に関する設定状態をLED３1〜３4によって表示させる表示制御機能を有している。
第２の所定時間から第１の所定時間までは、モニタチャンネル設定指示操作と表示切り替え操作の緩衝期間となるが、この緩衝期間を設けなくてもよい。
LED３1〜３4のうち、ディジタルオーディオデータのサンプリング周波数に対応するものが点灯する。図示の例において、LED３1，LED３2，LED３3，LED３4は、それぞれ、サンプリング周波数44.1kHz，48kHz，88.2kHz，96kHzに対応する。
本装置は、また、上述した一時的な期間以外の期間、すなわち、モニタチャンネル選択操作子４を押す操作がされていないとき、および、モニタチャンネル選択操作子４を押す操作がされていても上述した経過時間が所定時間を超えるまでは、LED３1〜３4は、モニタチャンネルの設定状態を表示するモードになるように表示制御する機能を有している。
【００１３】
例えば、チャンネル３がモニタチャンネルに設定されてLED３3が点灯している状態において、モニタチャンネル選択操作子４を５秒以上、長押ししたときにLED３1が点灯すれば、サンプリング周波数44.1kHzのディジタルオーディオ信号であることがわかる。
次に、モニタチャンネル選択操作子４から手を離す操作をしたときは、再びLED３3が点灯して、チャンネル３がモニタチャンネルに設定されていたことを表示する。
なお、８は動作オンスイッチである。図示の例では、このインターフェース装置を待機状態（通電しているが非動作状態）またはオン状態にする。待機状態に代えて電源オフ状態になるようにしてもよい。
【００１４】
上述した説明において、第２の種類の設定に関する設定状態の一時的な表示は、サンプリング周波数の表示に割り当てた。これは、選択されているモニタチャンネルを確認する方がサンプリング周波数の確認よりも必要性が高いので、通常は選択されたモニタチャンネルの設定状態を表示させるようにしたからである。
第１の種類の設定と第２の種類の設定とに、どのような設定を割り当てることも可能である。しかし、上述したように、確認する必要性の頻度が低い設定を第２の種類の設定に割り当てることが好ましい。
また、LED３1〜３4は、第１の種類の設定に関する設定状態の表示と第２の種類の設定に関する設定状態の表示とで、表示の態様を異ならせてもよい。特に一時的な表示である後者の表示には、点滅の繰り返しで表示させるとよい。
【００１５】
LED３1〜３4は、第１の種類の設定に関する設定状態の表示と、第２の種類の設定に関する設定状態の表示との、いずれかの表示に切り替えるものとして説明した。
しかし、第２の種類の設定に関する設定状態の表示中においても、第１の種類の設定に関する設定状態の表示を中止することなく、継続表示してもよい。
そのためには、例えば、第２の種類の設定に関する設定状態の表示と、第１の種類の設定に関する設定状態の表示とで、表示の態様で異ならせればよい。
例えば、第２の種類の設定に関する設定状態の表示は、いずれかのLED３1〜３4の点滅の繰り返しによって行い、第１の種類の設定に関する設定状態の表示は、いずれかのLED３1〜３4の常時点灯によって行えばよい。いずれの設定状態の表示に関しても同じLEDが該当する場合には、点滅の繰り返しと常時点灯の一方を優先させるように決めればよい。
また、複数色発光ダイオードを用い、第２の種類の設定に関する設定状態の表示は第１の色（赤）の常時点灯とし、第１の種類の設定に関する設定状態の表示は第２の色（緑）の常時点灯としてもよい。いずれの設定状態の表示に関しても同じLEDが該当する場合には、混合色（橙）で表示させるか、第１の色（赤）と第２の色（緑）を交互に繰り返して点灯させればよい。
【００１６】
上述した例では、第１の種類の設定状態を表示させるに必要とされるLEDの個数と第２の種類の設定状態を表示させるに必要とされるLEDの個数とが同数であった。しかし、互いに異なる場合もある。表示させるに必要とされるLEDの個数は、設定状態の種類によって異なるからである。
また、第１の種類の設定を行う設定指示手段であるモニタチャンネル選択操作子４の数は１個であった。操作子の数は少ない方がよいが、設定指示手段が複数あってもよい。例えば、モニタチャンネル１〜４毎にチャンネル選択操作子が備えられてもよい。
この場合、設定指示操作が開始されたときに計時が開始される対象の設定指示手段としては、複数の設定指示手段のうち、予め決められた特定のもの、あるいは、いずれであってもよい。要するに、計時手段により長押しが検出されればよい。
オーディオチャンネル１〜４のそれぞれは、モノラルチャンネルである。しかし、２つのチャンネルを任意に選択してペアチャンネルにし、ペアチャンネル単位でゲインコントロールやモニタをしてもよい。また、各チャンネル自体をステレオにしてもよい。
【００１７】
図２は、図１に示した本発明の実施の一形態を実現するハードウエア構成図である。
図中、１１はバス、１２はCPU、１３はRAM、１４はROMである。
１５は操作子である。図１に示したチャンネル別ゲイン設定操作子２1〜２4等の操作子に対応する。１６は操作子の操作を検出する検出回路である。
１７は表示装置である。図１に示したLED３1〜３4等に対応する。１８は表示のための表示回路である。
【００１８】
１９は外部機器、２０は通信インターフェース、２１は外部機器、２２はモニタ用のディジタルアナログ変換器である。
外部機器１９，２１は、例えば、電子音楽装置あるいはパーソナルコンピュータである。
外部機器１９の方は、オーディオケーブル（光ファイバまたは銅ケーブル）で本インターフェース装置に接続され、ディジタルオーディオデータを入出力する。あるいは、MIDIケーブル，RS232C等のシリアルケーブルで本インターフェース装置に接続されて、MIDIデータを入出力する。
外部機器２１の方は、1EEE1394ハイパフォーマンス・シリアル・バスで本インターフェース装置に接続され、ディジタルオーディオデータやMIDIデータを入出力する。
選択されたモニタチャンネルのディジタルオーディオデータは、ディジタルアナログ変換器２２によりアナログ信号に変換され、モニタジャック６に出力される。
上述したパーソナルコンピュータには、ディジタルオーディオデータやMIDIデータを処理するシーケンサソフトウエアプログラムがインストールされていたり、ディジタルオーディオデータをミキシング処理するミキシングソフトウエアプログラムがインストールされていたりする。
【００１９】
図示のハードウエア構成において、外部機器１９の信号と外部機器２１の信号間の変換（通信フォーマットの変換、通信手順の変換等）、および、操作子１５による設定指示操作の操作検出機能、設定指示操作の計時機能、表示部１７に対する表示制御機能等は、CPU１２がROM１４に記憶された制御プログラムを、RAM１３をワークエリアとして実行することにより実現される。
RAM１３には、モニタチャンネルの設定状態、サンプリング周波数の設定状態を保持するレジスタを含んでいる。
ROM１４に制御プログラムを記憶させる代わりに、制御プログラムやデータを記憶したハード磁気ディスク装置を備えたり、これらを記憶させたCD-ROMを読み込む外部記憶装置を備えたりしてもよい。
また、通信ネットワークを介してサーバコンピュータと接続し、ここから制御プログラムやデータをダウンロードすることにより、同様の動作をCPU１２に実行させることができる。
【００２０】
図３は、図１に示した実施の一形態の動作例を説明するフローチャートである。
処理プログラムは、電源がオンされたときに起動し、起動時の初期設定処理においては、ある１つのモニタチャンネルのLEDが点灯を開始する。
図示の処理は、モニタチャンネル選択操作子４が押されたことを検出したときに起動する。
Ｓ３１において、モニタチャンネル選択操作子４が押されている時間を計時する計時カウンタが計時を開始する。
Ｓ３２，Ｓ３３において、モニタチャンネル選択操作子４が押されてからの経過時間を所定時間（例：５秒）と比較し、所定時間を超えたときはＳ３４に処理を進め、そうでないときはＳ３５に処理を進める。
【００２１】
最初は、所定時間を超えないからＳ３５に処理を進め、モニタチャンネル選択操作子が離された否かを検出する。離されない間は、Ｓ３２に処理を戻すので、計時カウンタによる経過時間が進む。
例えば、経過時間３秒後に離されたときは、Ｓ３５からＳ４０に処理を進め、設定中のモニタチャンネル番号を1つ進めることにより、新たなモニタチャンネルへ変更し、メモリに保持されたモニタチャンネル設定を書き換え、Ｓ４１において、設定されたモニタチャンネルに対応するLEDの点灯を開始し、それまでのモニタチャンネルに対応したLEDは消灯させて処理を終了する。
【００２２】
一方、上述したＳ３３において、経過時間が所定時間を超えれば、Ｓ３４に処理を進め、モニタチャンネルを表示していたLEDを消灯させ、メモリの所定の記憶領域に保持されている設定中のサンプリング周波数を読み出す。
Ｓ３６において、サンプリング周波数に対応するLEDの点滅を開始する。
Ｓ３７において、モニタチャンネル選択操作子が離されたことを検出するまで、Ｓ３７の処理を繰り返す。離されれば、Ｓ３８において、LEDの点滅を終了し、再び、設定中のモニタチャンネルをメモリの記憶領域から読み出し、Ｓ３９において、読み出したモニタチャンネルに対応するLEDの点灯を開始して、処理を終了する。
【００２３】
上述した説明では、物理的に存在するパネル面に操作子や表示装置が配置された設定状態表示制御装置について説明した。これに代えて、LEDやCRTなどの表示装置の表示画面上に、操作子や表示装置のUI（User Interface）部品を表示させ、この仮想的な操作子を、物理的に存在するカーソルキーやマウス等のポインティングデバイスで操作するという、いわゆるGUI（Graphical User Interface）方式を用いた設定状態表示制御装置であってもよい。上述した説明と同様に、CPU１２が制御プログラムを実行することにより同様の機能が実現される。
【００２４】
上述した説明では、通信インターフェース装置を例にして説明した。この装置に、複数のディジタルオーディオチャンネルの信号をミキシングして入出力する機能を設けてもよい。また、この装置を独立した筐体に収容する代わりに、電子音楽装置やパーソナルコンピュータ、ディジタルミキシング装置に組み込んでもよい。
本発明の設定状態表示制御装置は、通信インターフェース装置のみに適用されるものではなく、一般に、所定の設定がなされ、この所定の設定に関する設定状態に加えてこの所定の設定とは異なるものに関する状態を表示装置に表示させる電子機器に適用できる。
【００２５】
上述した説明では、第１の種類の設定をモニタチャンネルの設定としていたが、これに限られない。
第２の種類の設定に関する設定状態として、処理されるディジタルオーディオ信号のサンプリング周波数の設定状態を表示させていたが、これに限られない。サンプリング周波数は外部装置により設定される。しかし、第２の種類の設定の具体的な対象によっては、この第２の種類の設定を指示する第２の設定指示手段が、本設定状態表示制御装置に備えられる場合がある。
上述した説明では、第１の種類の所定の設定に関する設定状態に加え、第２の種類の設定に関する設定状態を表示装置に表示させていた。
しかし、第２の種類の設定に関する設定状態に限らず、一般に、第１の種類の所定の設定とは異なるものに関する状態を表示させてもよい。例えば、処理される信号に関する入力レベルまたは出力レベルの状態、あるいは、入力信号または出力信号の有無を表示させるようにしてもよい。
【図面の簡単な説明】
【００２６】
【図１】本願の実施の一形態を説明するための通信インターフェース装置のパネル外観図である。
【図２】図１に示した本発明の実施の一形態を実現するハードウエア構成図である。
【図３】図１に示した実施の一形態の動作例を説明するフローチャートである。
【符号の説明】
【００２７】
１…ラックマウント用筐体のパネル、２1〜２4…チャンネル別ゲイン設定操作子、３1〜３4…LED、４…モニタチャンネル選択操作子
【図１】
2005196019.tif 000003
【図２】
2005196019.tif 000004
【図３】
2005196019.tif 000005